(57)【要約】      （修正有）【課題】ＬＥＤ照明器具の点灯回路及び保護装置と方法を提供する。【解決手段】ＬＥＤ照明器具の点灯回路及び保護装置はランプ又は前記ランプの出力線に対する短絡有無を検知して、前記ランプ又は前記ランプの出力線が短絡した場合、前記ランプに供給される駆動電源を遮断する回路保護部と、前記ランプの点灯時、前記駆動電源に対して定電流制御を行う定電流制御部と、前記定電流制御部の出力電圧を検出する電圧検出部と、前記定電流制御によって発生する電圧の損失を償うため、前記検出された電圧を利用してＰＦＣ（Power Factor Correction）の出力電圧を制御するドライバを含む。【選択図】図１
2011077037.tif 000002
【特許請求の範囲】
【請求項１】
ＬＥＤ又は上記ＬＥＤの出力線に対する短絡有無を検知して、上記ＬＥＤ又は上記ＬＥＤの出力線が短絡した場合、上記ＬＥＤに供給される駆動電源を遮断する回路保護部と、
上記ＬＥＤの点灯時、上記駆動電源に対して定電流制御を行う定電流制御部と、
上記定電流制御部の出力電圧を検出する電圧検出部と、
上記定電流制御によって発生する電圧の損失を償うため、上記検出された電圧を利用してＰＦＣ（Power Factor Correction）の出力電圧を制御するドライバとを含むＬＥＤ照明器具の点灯回路及び保護装置。
【請求項２】
上記回路保護部は、
上記ＬＥＤの出力電圧と予め設定された第１基準電圧とを比べる第１比較部と、
上記第１比較部の出力電圧と予め設定された第２基準電圧とを比べる第２比較部と、
上記第１比較部の出力電圧がハイ（high）で、上記第２比較部の出力電圧がロー（low）の場合にオフになって、上記駆動電源を遮断する電源遮断部とを含むことを特徴とする請求項１記載のＬＥＤ照明器具の点灯回路及び保護装置。
【請求項３】
前記第２比較部は前記電圧検出部によって検出された電圧と前記第２基準電圧とを比べ、前記ドライバは前記比較の結果、前記定電流制御によって電圧の損失が発生した場合、ＦＥＴのスイッチングを通じて電流を供給又は遮断して、前記ＰＦＣの出力電圧が一定になるように制御することを特徴とする請求項２記載のＬＥＤ照明器具の点灯回路及び保護装置。
【請求項４】
前記第１基準電圧は０．５３Ｖで、前記第２基準電圧は０．７５Ｖであることを特徴とする請求項２または３記載のＬＥＤ照明器具の点灯回路及び保護装置。
【請求項５】
前記定電流制御部はシャントレギュレータ（shunt regulator）を利用して前記定電流制御を行うことを特徴とする請求項１記載のＬＥＤ照明器具の点灯回路及び保護装置。
【請求項６】
前記シャントレギュレータはＴＬ４３１集積回路であることを特徴とする請求項５記載のＬＥＤ照明器具の点灯回路及び保護装置。
【請求項７】
前記電圧検出部は前記定電流制御部に含まれたトランジスターのコレクター電圧を検出することを特徴とする請求項１記載のＬＥＤ照明器具の点灯回路及び保護装置。
【請求項８】
回路保護部で、ＬＥＤ又は上記ＬＥＤの出力線に対する短絡有無を検知して、上記ＬＥＤ又は上記ＬＥＤの出力線の短絡が検知された場合、上記ＬＥＤに供給される駆動電源を遮断する段階と、
定電流制御部で、上記ＬＥＤの点灯時、上記駆動電源に対して定電流制御を行う段階と、
電圧検出部で、上記定電流制御部の出力電圧を検出する段階と、
ドライバで、上記定電流制御によって発生する電圧の損失を償うために、上記検出された電圧を利用してＰＦＣの出力電圧を制御する段階とを含むＬＥＤ照明器具の点灯及び保護方法。
【請求項９】
上記ＬＥＤに供給される駆動電源を遮断する段階は、
第１比較部で、上記ＬＥＤの出力電圧と予め設定された第１基準電圧とを比べる段階と、
第２比較部で、上記第１比較部の出力電圧と予め設定された第２基準電圧を比べる段階と、
電源遮断部で、上記第１比較部の出力電圧がハイで、上記第２比較部の出力電圧がローの場合、オフされて上記駆動電源を遮断する段階とを含むことを特徴とする請求項８記載のＬＥＤ照明器具の点灯及び保護方法。
【請求項１０】
前記第２比較部で、前記電圧検出部によって検出された電圧と前記第２基準電圧とを比べる段階をさらに含んでおり、
前記ＰＦＣの出力電圧を制御する段階は、前記比較の結果、前記定電流制御によって電圧の損失が発生した場合、ＦＥＴのスイッチングを通じて電流を供給又は遮断して前記ＰＦＣの出力電圧が一定になるように制御する段階を含むことを特徴とする請求項９記載のＬＥＤ照明器具の点灯及び保護方法。
【発明の詳細な説明】
【技術分野】
【０００１】
本発明はＬＥＤ 照明器具の点灯回路及び保護装置とその方法に関する。
【背景技術】
【０００２】
一般的に、社会が発展して人々の生活の質が向上するによって人々は事務室、一般家庭でより快適な室内環境を追い求める。従って、室内インテリアに対する関心がさらに増大する。このような室内の雰囲気を造成する要因で暗い室内を明らかにする照明器具の選択に関心が高まっている。
【０００３】
照明器具には様々な種類があるのに、それぞれの環境によって用途が違うように使われていて、さまざまの雰囲気を演出するためには照明器具を用途に当たるように別に設置しなければならない。
【０００４】
一般的に、照明器具は事物と周辺の該当の部位を明るく照らす機構として、大きく舞台、ショーウインドゥ、レストランなどの雰囲気を作るためのものと、交通信号、ネオンサイン、道路情報表示版などのような情報伝達手段で利用するためのものと、殺菌、加熱、乾燥などのために紫外線、赤外線などを利用することと、魚や昆虫を誘引するとか植物栽培に利用するなど人間以外を対象にすることなどで分類できる。
【０００５】
しかし、このような照明器具はＬＥＤランプの出力線が短絡されるとか前記ＬＥＤランプが間違って設置されて前記ＬＥＤランプに短絡が起きる場合、前記照明器具の内部回路に損傷を与える問題点がある。従って、前記照明器具の内部回路が損傷されないように保護することができるＬＥＤ点灯回路及び保護装置と方法の開発が要求されている。
【発明の概要】
【発明が解決しようとする課題】
【０００６】
本発明の一実施例はＬＥＤランプ又は前記ＬＥＤランプの出力線が短絡した場合、前記ＬＥＤランプに供給される駆動電源を遮断することで、前記ＬＥＤランプを通じて光を発光させる照明器具の内部回路を過電流、過電圧などから保護することができるＬＥＤ照明器具の点灯回路及び保護装置と方法を提供する。
【０００７】
本発明の一実施例は前記ＬＥＤランプの点灯時に供給される駆動電源を定電流制御することで、前記ＬＥＤランプで過電流が流入されることを防止することができるＬＥＤ照明器具の点灯回路及び保護装置と方法を提供する。
【０００８】
本発明の一実施例は前記定電流制御によって電圧の損失が発生した場合、ＰＦＣ（Power Factor Correction）の出力電圧を一定に制御することで、前記定電流制御によって発生する電圧の損失を償うことができるＬＥＤ照明器具の点灯回路及び保護装置と方法を提供する。
【課題を解決するための手段】
【０００９】
本発明の一実施例によるＬＥＤ照明器具の点灯回路及び保護装置はランプ又は前記ランプの出力線に対する短絡有無を検知して、前記ランプ又は前記ランプの出力線が短絡した場合、前記ランプに供給される駆動電源を遮断する回路保護部と、前記ランプの点灯時、前記駆動電源に対して定電流制御を行う定電流制御部と、前記定電流制御部の出力電圧を検出する電圧検出部と、前記定電流制御によって発生する電圧の損失を償うため、前記検出された電圧を利用してＰＦＣの出力電圧を制御するドライバを含む。
【００１０】
本発明の一実施例によるＬＥＤ照明器具の点灯及び保護方法は回路保護部で、ランプ又は前記ランプの出力線に対する短絡有無を検知して、前記ランプ又は前記ランプの出力線が短絡した場合、前記ランプに供給される駆動電源を遮断する段階と、定電流制御部で、前記ランプの点灯時、前記駆動電源に対して定電流制御を行う段階と、電圧検出部で、前記定電流制御部の出力電圧を検出する段階と、ドライバで、前記定電流制御によって発生する電圧の損失を償うため、前記検出された電圧を利用してＰＦＣの出力電圧を制御する段階を含む。その他実施例の具体的な事項は詳細な説明及び添付図面に含まれてある。
【００１１】
本発明の長所及び／又は特徴、そしてそれらを果たす方法は添付される図面と共に詳細に後述されてある実施例を参考すれば明確になる。しかし、本発明は以下で開始される実施例に限定されるのではなく互いに違う多様な形態に具現されるはずであり、ただ本実施例は本発明の開示が完全にさせて、本発明が属する技術分野で通常の知識を持った者に発明の範囲を完全に知らせてくれるために提供されることであり、本発明は請求項の範囲によって定義されるだけである。明細書全体にかけて同一参考符号は同一構成要素を示す。
【発明の効果】
【００１２】
本発明の一実施例によれば、ＬＥＤランプ又は前記ＬＥＤランプの出力線が短絡した場合、前記ＬＥＤランプに供給される駆動電源を遮断することで、前記ＬＥＤランプを通じて光を発光させる照明器具の内部回路を過電流、過電圧などから保護することができる。
【００１３】
本発明の一実施例によれば、前記ＬＥＤランプの点灯時に供給される駆動電源を定電流制御することで、前記ＬＥＤランプで過電流が流入されることを防止することができる。本発明の一実施例によれば、前記定電流制御によって電圧の損失が発生した場合、ＰＦＣの出力電圧を一定になるように制御することで、前記定電流制御によって発生する電圧の損失を償うことができる。
【図面の簡単な説明】
【００１４】
【図１】本発明の一実施例によるＬＥＤ照明器具の点灯回路及び保護装置を説明するためのロック図、
【図２】図１の回路保護部の構成を詳しく図示したブロック図である。
【図３】本発明の一実施例によるＬＥＤ照明器具の点灯回路及び保護装置の回路図である。
【図４】本発明の一実施例によるＬＥＤ照明器具の点灯及び保護方法を説明するためのブロック図である。
【符号の説明】
【００１５】
１１０   回路保護部
１２０  定電流制御部
１３０  電圧検出部
１４０  ドライバ
２１０  第１比較部
２２０  第２比較部
２３０  電源遮断部
【発明を実施するための形態】
【００１６】
以下、添付された図面を参考して本発明の実施例を詳しく説明する。図１は本発明の一実施例によるＬＥＤ照明器具の点灯回路及び保護装置を説明するために図示したブロック図である。図１を参考すれば、本発明の一実施例によるＬＥＤ照明器具の点灯回路及び保護装置（１００）は回路保護部（１１０）、定電流制御部（１２０）、電圧検出部（１３０）、及びドライバ（１４０）を含む。
【００１７】
前記回路保護部（１１０）はＬＥＤランプ（１０６）又は前記ＬＥＤランプの出力線に対する短絡有無を検知する。即ち、前記回路保護部（１１０）は前記ＬＥＤランプ設置時、設置者が前記ＬＥＤランプを過ち連結して前記ＬＥＤランプが短絡(ショート) 状態にあるのか可否を検知することができる。また、前記回路保護部は前記ＬＥＤランプで駆動電源を供給する出力線が短絡状態にあるのか可否を検知することもできる。
【００１８】
そして、前記回路保護部（１１０）は前記ＬＥＤランプ（１０６）又は前記ＬＥＤランプの出力線が短絡した場合、前記ＬＥＤランプに供給される駆動電源を遮断する。
【００１９】
このために、前記回路保護部（１１０）は図２に図示されたように、第１比較部（２１０）、第２比較部（２２０）、及び電源遮断部（２３０）を含むことができる。参考で、図２は図１の回路保護部（１１０）の構成を詳しく図示したブロック図である。
【００２０】
前記第１比較部（２１０）は前記ＬＥＤランプ（１０６）の出力電圧と予め設定された第１基準電圧（reference voltage）を比べる。ここで、前記第１基準電圧は０．５３Ｖに予め設定されることができる。
【００２１】
前記第１比較部（２１０）は前記ＬＥＤランプ（１０６）の出力電圧が前記第１基準電圧より大きい場合ハイレベルの電圧を出力して、前記ＬＥＤランプ（１０６）の出力電圧が前記第１基準電圧より小さな場合ローレベルの電圧を出力する。
【００２２】
前記第２比較部（２２０）は前記第１比較部の出力電圧と予め設定された第２基準電圧を比べる。ここで、前記第２基準電圧は０．７５Ｖに予め設定されることができる。
【００２３】
前記第２比較部は前記第１比較部の出力電圧が前記第２基準電圧より大きい場合ハイレベルの電圧を出力して、前記第１比較部の出力電圧が前記第２基準電圧より小さな場合ローレベルの電圧を出力する。即ち、前記第２比較部は前記第１比較部の出力電圧がハイレベルの場合ハイレベルの電圧を出力して、前記第１比較部の出力電圧がローレベルの場合ローレベルの電圧を出力する。
【００２４】
このとき、前記回路保護部（１１０）は前記第１比較部（２１０）と前記第２比較部（２２０）の出力電圧を通じて前記ＬＥＤランプ（１０６）又は前記ＬＥＤランプの出力線に対する短絡有無を検知することができる。
【００２５】
即ち、前記回路保護部は前記第１比較部の出力電圧がハイレベルで、前記第２比較部（２２０）の出力電圧がローレベルの場合、前記ＬＥＤランプ（１０６）又は前記ＬＥＤランプの出力線が短絡状態にあることを検知することができる。
【００２６】
前記電源遮断部（２３０）は前記検知結果、前記ＬＥＤランプ又は前記ＬＥＤランプの出力線が短絡した場合、オフになって前記ＬＥＤランプに供給される駆動電源を遮断する。
【００２７】
このように、前記回路保護部（１１０）は前記ＬＥＤランプ（１０６）又は前記ＬＥＤランプの出力線が短絡した場合、前記ＬＥＤランプに供給される駆動電源を遮断することで、前記ＬＥＤランプを通じて光を発光させる照明器具の内部回路、例えばＰＦＣ（１０４）などを過電流、過電圧などから保護することができる。
【００２８】
また、図１を参考すれば、前記定電流制御部（１２０）は前記ＬＥＤランプの点灯時、前記ＬＥＤランプに供給される駆動電源に対して定電流制御を行う。このとき、前記定電流制御部はシャントレギュレータ（shunt regulator）を利用して前記ＬＥＤランプに供給される駆動電源を定電流制御することができる。
【００２９】
このように、前記定電流制御部（１２０）は前記ＬＥＤランプの点灯時に供給される駆動電源を定電流制御することで、前記ＬＥＤランプで過電流が流入されることを防止することができる。ここで、前記シャントレギュレータはＴＬ４３１集積回路で具現される。
【００３０】
前記電圧検出部（１３０）は前記定電流制御部（１２０）の出力電圧を検出する。より具体的には、前記電圧検出部は前記定電流制御部に含まれたトランジスター（図３の“Ｑ３”参考）のコレクター電圧を検出する。
【００３１】
前記ドライバ（１４０）は前記定電流制御部の定電流制御によって発生する電圧の損失を償うため、前記電圧検出部によって検出された電圧を利用してＰＦＣ（１０４）の出力電圧を制御する。
【００３２】
このために、前記ドライバは前記第２比較部（図２の“２１０”参考）の比較結果に基礎して前記ＰＦＣの出力電圧を制御することができる。
【００３３】
即ち、前記第２比較部は前記電圧検出部（１３０）によって検出された電圧と前記第２基準電圧を比べるのに、前記比較結果前記定電流制御によって電圧の損失が発生した場合、前記ドライバ（１４０）はＦＥＴ（Field Effect Transistor）のスイッチングを通じて電流を供給又は遮断して前記ＰＦＣの出力電圧が一定になるように制御することができる。
【００３４】
このとき、前記ドライバ（１４０）は前記ＦＥＴのスイッチングを非常に早い速度で繰り返して電流を調節することで、前記ＰＦＣの出力電圧を一定になるように制御することができる。
【００３５】
例えば、前記ドライバは前記定電流制御によって電圧損失が発生した場合、前記ＦＥＴを閉めて（close）もっと多い電流を前記ＬＥＤランプ（１０６）に送ることで前記ＰＦＣの出力電圧を高めることができる。
【００３６】
そして、前記ドライバは前記ＰＦＣの出力電圧が損失される前の元々電圧に到逹する場合、前記ＦＥＴを開いて（open）前記ＬＥＤランプ（１０６）への電流供給を遮断することで、前記ＰＦＣの出力電圧を一定になるように制御することができるようになる。
【００３７】
このように、前記ドライバは前記定電流制御によって電圧の損失が発生した場合、前記ＰＦＣの出力電圧を一定になるように制御することで、前記定電流制御によって発生する電圧の損失を償うことができる。
【００３８】
図１の図面符号１０１、１０２、１０３、１０４、１０５はそれぞれ電源部、ＥＭＩフィルター、整流部、ＰＦＣ、及び平滑部を示す。前記構成(１０１、１０２、１０３、１０４、１０５)は公知技術に関することであるからこれに対する詳細な説明は略する。
【００３９】
図３は本発明の一実施例によるＬＥＤ照明器具の点灯回路及び保護装置の回路図である。図３の回路図は一つの例示であり、本発明の実施例によるＬＥＤ照明器具の点灯回路及び保護装置は前記図３の回路図に限定されない。
【００４０】
図３に示されたように、前記回路保護部（１１０）はＩＣ２Ｂ（２１０）、ＩＣ２Ａ（２２０）、及びＱ４（２３０）を含むことができる。ここで、前記ＩＣ２Ｂ）、ＩＣ２Ａ、及びＱ４それぞれは図２の第１比較部（２１０）、第２比較部（２２０）、及び電源遮断部（２３０）に対応される構成である。このような回路保護部の動作原理は次のようになる。
【００４１】
即ち、無負荷時ＩＣ２Ｂの出力はローでＩＣ２Ａの出力はローになる。よって、Ｑ４がオフになってＬＥＤランプ（１０６）に供給される駆動電源の出力は遮断される。
【００４２】
また、負荷時前記ＩＣ２Ｂ（２１０）には（−)基準電圧以上に（＋）に電圧が印加されて前記ＩＣ２Ｂ（２２０）の出力がハイになって、Ｒ３０を通じて前記ＩＣ２Ａ（２２０）の（＋）で４Ｖが印加されれば前記ＩＣ２Ａ（２２０）の出力はハイになる。従って、前記Ｑ４（２３０）オンになって前記ＬＥＤランプ（１０６）は点灯されるようになる。ここで、前記ＩＣ２Ｂの（−）基準電圧は０．５３Ｖであり、前記ＩＣ２Ａ（２２０）の（−）基準電圧は０．７４Ｖである。
【００４３】
一方、前記ＬＥＤランプ（１０６）の出力線が短絡したり低電圧用ＬＥＤモジュール（１２Ｖ、２４Ｖ）が間違って連結された場合、前記ＩＣ２Ａ（２２０）の（−）基準電圧が上昇して前記ＩＣ２Ａの出力がローになる。従って、前記Ｑ４（２３０）がオフになって前記ＬＥＤランプに供給される駆動電源の出力は遮断される。
【００４４】
前記定電流制御部（１２０）は前記ＬＥＤランプ（１０６）の点灯時、Ｑ２を利用して定電流制御を行う。ここで、前記Ｑ２はシャントレギュレータであるＴＬ４３１集積回路で具現される。
【００４５】
参考で、前記ＬＥＤランプは内部抵抗が低くて電圧が少しだけ変わっても電流変化がひどくて、これによって過電流が流れる危険性がある。また、前記ＬＥＤランプはダイオードの一種で温度が上がればＶＦ（順方向電圧降下）が低くなって電流が増加するようになる。従って、前記ＬＥＤランプは定電流に駆動されることが望ましい。前記電圧検出部（Ｒ２６、Ｒ２７）（１３０）は前記定電流制御部（１２０）に含まれたＱ３のコレクター電圧を検出する。
【００４６】
前記電圧検出部（Ｒ２６、Ｒ２７）（１３０）を通じて検出された電圧は前記ＩＣ２Ａ（２２０）から前記（−）基準電圧と比較されて、前記ＩＣ２Ａ（２２０）で前記比較結果をＲ３６に送れば、ＰＣ１が動作する。これによって、前記ドライバ（ＩＣ１）（１４０）はＦＥＴを閉めてもっと多い電流を流して、Ｄ５の電流流れが増加するようになる。
【００４７】
このように、前記ドライバ（ＩＣ１）は非常に速い速度で前記ＦＥＴのスイッチングを繰り返して、前記定電流制御部（１２０）の定電流制御によって発生する電圧損失を償うことができる。
【００４８】
図４は本発明の一実施例によるＬＥＤ照明器具の点灯及び保護方法を説明するために図示された流れ図である。前記ＬＥＤ照明器具の点灯及び保護方法は図１のＬＥＤ照明器具の点灯回路及び保護装置（１００）によって行われる。
【００４９】
図１及び図４を参考すれば、段階（４１０）から前記回路保護部（１１０）は前記ＬＥＤランプ（１０６）又は前記ＬＥＤランプの出力線に対する短絡有無を検知する。
【００５０】
前記ＬＥＤランプ又は前記ＬＥＤランプの出力線が短絡した場合（４１０の“ハイ”方向）、段階（４２０）から前記回路保護部（１１０）は前記ＬＥＤランプに供給される駆動電源を遮断する。前記回路保護部に対して図１及び図２を参考してより具体的に説明すれば次のようである。
【００５１】
先に、前記第１比較部（２１０）は前記ＬＥＤランプの出力電圧と予め設定された第１基準電圧を比べる。ここで、前記第１基準電圧は０．５３Ｖに予め設定することができる。
【００５２】
次に、前記第２比較部（２２０）は前記第１比較部（２１０）の出力電圧と予め設定された第２基準電圧を比べる。ここで、前記第２基準電圧は０．７５Ｖで予め設定することができる。
【００５３】
次に、前記電源遮断部（２３０）は前記第１比較部（２１０）と前記第２比較部（２２０）の出力電圧に基づいて、前記ＬＥＤランプ又は前記ＬＥＤランプの出力線に対する短絡有無を検知して、前記ＬＥＤランプ又は前記ＬＥＤランプの出力線が短絡状態にあることが検知された場合、オフになって前記ＬＥＤランプに供給される駆動電源を遮断する。
【００５４】
即ち、前記電源遮断部（２３０）は前記第１比較部（２１０）の出力電圧がハイレベルで、前記第２比較部（２２０）の出力電圧がローレベルの場合、オフになって前記ＬＥＤランプに供給される駆動電源を遮断する。
【００５５】
このように、前記回路保護部（１１０）は前記ＬＥＤランプ又は前記ＬＥＤランプの出力線が短絡した場合、前記ＬＥＤランプに供給される駆動電源を遮断することで、前記ＬＥＤランプを通じて光を発光させる照明器具の内部回路、例えばＰＦＣ（Power Factor Correction）などを過電流、過電圧などから保護することができる。
【００５６】
一方、前記ＬＥＤランプ又は前記ＬＥＤランプの出力線が短絡されていない場合（４１０の“イイエ”方向）、前記回路保護部は前記ＬＥＤランプ又は前記ＬＥＤランプの出力線が短絡されるまで待機状態を維持する。
【００５７】
また図１及び図４を参考すれば、次に段階（４３０）で前記定電流制御部（１２０）は前記ＬＥＤランプの点灯時、前記ＬＥＤランプに供給される駆動電源に対して定電流制御を行う。
【００５８】
このとき、前記定電流制御部はシャントレギュレータを利用して前記ＬＥＤランプに供給される駆動電源を定電流制御することができる。ここで、前記シャントレギュレータはＴＬ４３１集積回路で具現される。
【００５９】
このように、前記定電流制御部（１２０）は前記ＬＥＤランプの点灯時に供給される駆動電源を定電流制御することで、前記ＬＥＤランプで過電流が流入されることを防止することができる。
【００６０】
次に、段階（４４０）で前記電圧検出部（１３０）は前記定電流制御部（１２０）の出力電圧を検出する。より具体的に、前記電圧検出部は前記定電流制御部に含まれたトランジスター（図３の“Ｑ３”参考）のコレクター電圧を検出する。
【００６１】
次に、段階（４５０）で前記ドライバ（１４０）は前記定電流制御部の定電流制御によって発生する電圧の損失を償うため、前記電圧検出部によって検出された電圧を利用してＰＦＣ（１０４）の出力電圧を制御する。
【００６２】
このために、前記ドライバ（１４０）は前記第２比較部（図２の“２１０”参考）の比較結果に基礎して前記ＰＦＣの出力電圧を制御することができる。
【００６３】
即ち、前記第２比較部は前記電圧検出部（１３０）によって検出された電圧と前記第２基準電圧を比べるのに、前記比較結果前記定電流制御によって電圧の損失が発生した場合、前記ドライバはＦＥＴ（Field Effect Transistor）のスイッチングを通じて電流を供給又は遮断して前記ＰＦＣの出力電圧が一定になるように制御することができる。
【００６４】
このとき、前記ドライバ（１４０）は前記ＦＥＴのスイッチングを非常に早い速度で繰り返して電流を調節することで、前記ＰＦＣの出力電圧を一定になるように制御することができる。
【００６５】
このように、前記ドライバは前記定電流制御によって電圧の損失が発生した場合、前記ＰＦＣ（１０４）の出力電圧を一定になるように制御することで、前記定電流制御によって発生する電圧の損失を償うことができる。
【００６６】
今まで本発明による具体的な実施例に関して説明したが、本発明の範囲から脱しない限度内でさまざまな変形が可能であるから本発明の範囲は説明された実施例に限らずに後述する特許請求の範囲だけではなく、この特許請求の範囲と均等なものなどによって決まらなければならない。
【００６７】
以上、本発明は前記の実施例に限定されるのではなく、本発明が属する分野で通常の知識を持った者ならこのような記載から多様な修正及び変形が可能であるから、本発明の範囲は下記の請求範囲により解されなければならず、それと同等な範囲内にある全ての技術は本発明の権利範囲に含まれることと解されるべきである。
【図１】
2011077037.tif 000003
【図２】
2011077037.tif 000004
【図３】
2011077037.tif 000005
【図４】
2011077037.tif 000006